(57)【要約】ユーザ端末３に封止材に関する情報を提供するサーバ装置１を備える推奨封止材選定システムであって、サーバ装置１は、ユーザ端末３が入力する流体区分の選択を受け付けると、第１使用条件を横軸にとり第２使用条件を縦軸にとった２次元座標上に、受け付けた流体区分で利用可能な各封止材の推奨使用範囲線を記載したグラフ情報が提示され且つ２次元座標上から第１、第２使用条件の入力を受け付ける条件入力ページをユーザ端末３に送信する。また、サーバ装置１は、ユーザ端末３が条件入力ページ上で第１、第２使用条件の値を入力すると、その第１、第２使用条件の値と、選択された流体区分とを選定条件にして封止材データベース１４を検索し、ユーザ端末３に検索した封止材に関する情報を送信する。
2015156304.tif 000002
【特許請求の範囲】
【請求項１】
ネットワークを介してユーザ端末に封止材に関する情報を提供するサーバ装置を備える推奨封止材選定システムであって、
前記サーバ装置は、
封止材を識別する品番情報毎に、その封止材の利用が可能な流体区分と、その封止材の第１使用条件の値及び第２使用条件の値とを対応付けて格納した封止材データベースと、
前記流体区分毎に、前記第１使用条件を横軸にとり前記第２使用条件を縦軸にとった２次元座標上にその流体区分で利用可能な各封止材の推奨使用範囲線を記載したグラフ情報を対応付けて格納したグラフ情報データベースと、
前記ユーザ端末に封止材に関する情報を送信する情報提供部とを備え、
前記情報提供部は、
前記ユーザ端末に、使用する流体区分を選択させる流体区分選択ページを送信し、
前記ユーザ端末が前記流体区分選択ページ上で流体区分を選択すると、その選択された流体区分を受け付け、該受け付けた流体区分及び前記グラフ情報を用いて、該選択された流体区分に対応する前記グラフ情報が提示され且つ２次元座標上から第１使用条件及び第２使用条件の入力を受け付ける条件入力ページを生成し、該ユーザ端末に該条件入力ページを送信し、
前記ユーザ端末が前記条件入力ページ上で第１、第２使用条件の値を入力すると、該ユーザ端末が入力した第１、第２使用条件の値を受付け、その受け付けた第１、第２使用条件の値と、前記選択された流体区分とを選定条件にして前記封止材データベースを検索し、前記選定条件に対応する封止材が検索されると、前記ユーザ端末に検索された封止材の品番情報を送信することを特徴とする推奨封止材選定システム。
【請求項２】
前記情報提供部は、前記選定条件に対応する封止材を検索すると、前記グラフ情報データベースを用いて、前記２次元座標上に該検索した封止材の推奨使用範囲線が記載され、且つ前記受け付けた第１、第２使用条件の値がプロットされた選定封止材グラフ情報を生成し、前記ユーザ端末に前記品番情報と共に前記選定封止材グラフ情報を送信することを特徴とする請求項１記載の推奨封止材選定システム。
【請求項３】
前記情報提供部は、前記受付けた第１、２使用条件の値よりも大きい値の上位条件に対応する封止材と、前記受付けた第１、２使用条件の値よりも小さい値の下位条件に対応する封止材とを選定し、前記ユーザ端末に前記選定条件に対応する封止材の品番情報と共に前記上位条件及び下位条件の封止材の品番情報を送信することを特徴とする請求項１又は２記載の推奨封止材選定システム。
【請求項４】
前記封止材データベースには、前記品番情報に対応付けて、その品番情報により特定される封止材の詳細情報が項目毎に格納されており、
前記情報提供部は、
前記封止材の品番情報を送信したユーザ端末から該品番情報により特定される封止材の詳細情報の提供要求を受け付けると、前記封止材データベースを用いて前記品番情報により特定される封止材の詳細情報が項目毎に記載され、且つ所定形式のドキュメントデータの送信要求を受付け可能に形成された詳細情報ページを生成し、該ユーザ端末に該詳細情報ページを送信し、
前記ユーザ端末から前記ドキュメントデータの送信要求を受け付けると、前記詳細情報ページの内容を前記ドキュメントデータに変換し、該ユーザ端末に該ドキュメントデータを送信することを特徴とする請求項１〜３記載の推奨封止材選定システム。
【発明の詳細な説明】
【技術分野】
【０００１】
本発明は、ガスケットやパッキン等の封止材を選定し提案する推奨封止材選定システムに関し、例えば、使用条件や使用目的に適した封止材を簡単な操作により選定し、ユーザに提案する推奨封止材選定システムに関する。
【背景技術】
【０００２】
ガスケットやパッキン等の封止材は、使用条件毎に対応させた仕様の製品が製造・販売されているため、その種類が非常に多くなっている。また、封止材は、その使用条件や使用用途が多岐にわたるため、ユーザが、多数の種類の製品の中から、最適な製品を選択するために手間と時間がかかるという特有の問題を有している。
そして、上記の特有の問題を考慮して、封止材等の部品選定の手間を軽減させるシステムが、特許文献１、２に提案されている。【０００３】
特許文献１には、ガスケットのサイズ、圧力、内部流体の種類、使用温度の数値の入力を受け付け、ガスケットの選定に用いるガスケットの締付力を算出するガスケット締付計算システムが開示されている。
また、特許文献２には、機械部品の代理店情報を提供したり、部品寸法の数値入力を受け付け、機械部品を選定したりする販売支援システムが開示されている。
【先行技術文献】
【特許文献】
【０００４】
【特許文献１】特許第５４４２８９５号公報
【特許文献２】特開２００２−８３１８９号公報
【発明の概要】
【発明が解決しようとする課題】
【０００５】
しかしながら、上述した従来技術は以下に示す技術的課題を有している。
具体的には、上述した従来技術は、いずれも、製品を探しているユーザが、部品の寸法等の数値を直接入力する構成になっており、ユーザが設計資料等を調べ確認しながら数値入力する必要がある。そのため、上述した従来技術のシステムは、カタログを見ながら製品を選定する場合と比べて選定時間が短縮できるものの、依然として手間が大きくがかかるという技術的課題を有している。【０００６】
また、ガスケット等の封止材は、製品毎に、推奨使用範囲（例えば、温度と圧力の推奨使用範囲）が定められている。そして、封止材の選定にあたり、想定している使用条件（例えば、温度と圧力）が、その製品の推奨使用範囲のどの位置にあるのかを把握することにより、使用環境や使用目的を考慮した封止材の選定ができる。例えば、使用条件が大きく変わるような環境下で使用する封止材を選定する場合、使用条件が推奨使用範囲のどの位置にあるのかを把握することで、必要に応じて上位スペックの封止材を検討することができる。また、例えば、使用目的が「寿命が短くても良い実験用等」の場合、使用条件が推奨使用範囲の境界線付近にある封止材の選定を検討したり、下位スペックの封止材の検討をしたりすることができる。
しかし、上述した従来技術のシステムは、製品の選定において、使用条件と、製品の推奨使用範囲の関係についての考慮はなされていない。【０００７】
本発明は、上記技術的課題に鑑みてなされたものであり、その目的は、使用条件や使用目的に適した封止材を容易に選定できる推奨封止材選定システムを提供することにある。
【課題を解決するための手段】
【０００８】
上記課題を解決するためになされた本発明は、ネットワークを介してユーザ端末に封止材に関する情報を提供するサーバ装置を備える推奨封止材選定システムに適用される。
そして、前記サーバ装置は、封止材を識別する品番情報毎に、その封止材の利用が可能な流体区分と、その封止材の第１使用条件の値及び第２使用条件の値とを対応付けて格納した封止材データベースと、前記流体区分毎に、前記第１使用条件を横軸にとり前記第２使用条件を縦軸にとった２次元座標上にその流体区分で利用可能な各封止材の推奨使用範囲線を記載したグラフ情報を対応付けて格納したグラフ情報データベースと、前記ユーザ端末に封止材に関する情報を送信する情報提供部とを備え、前記情報提供部は、前記ユーザ端末に、使用する流体区分を選択させる流体区分選択ページを送信し、前記ユーザ端末が前記流体区分選択ページ上で流体区分を選択すると、その選択された流体区分を受け付け、該受け付けた流体区分及び前記グラフ情報を用いて、該選択された流体区分に対応する前記グラフ情報が提示され且つ２次元座標上から第１使用条件及び第２使用条件の入力を受け付ける条件入力ページを生成し、該ユーザ端末に該条件入力ページを送信し、前記ユーザ端末が前記条件入力ページ上で第１、第２使用条件の値を入力すると、該ユーザ端末が入力した第１、第２使用条件の値を受付け、その受け付けた第１、第２使用条件の値と、前記選択された流体区分とを選定条件にして前記封止材データベースを検索し、前記選定条件に対応する封止材が検索されると、前記ユーザ端末に検索された封止材の品番情報を送信することを特徴とする。
なお、封止材は、例えば、ガスケットやパッキンであり、第１、第２使用条件は、例えば「温度、圧力」、「温度、周速」、「温度、摺動速度」、「温度、ＰＶ値」等である。【０００９】
このように、本発明の推奨封止材選定システムは、ユーザ端末に流体区分を選択させ、そのユーザ端末に対して、第１使用条件を縦軸にとり第２使用条件を横軸にとった２次元座標上に、選択した流体区分で利用可能な各封止材の推奨使用範囲線を記載したグラフ情報が提示された条件入力ページを提示する構成を採用している。また、この条件入力ページは、グラフ情報の２次元座標上から第１、第２使用条件の入力を受け付けるようになっている。
この構成によれば、ユーザ端末のユーザは、第１、第２使用条件の入力範囲を視覚的に把握して、条件入力ページの座標上から第１、第２使用条件を入力できるため、数値を直接入力する従来技術のシステムと比べて封止材の選定作業が容易になる。また、第１、第２使用条件を入力する範囲が、２次元座標上に提示されているため、ユーザが第１、第２使用条件の範囲を確認する手間が軽減される。
また、上記のグラフ情報では、２次元座標上に、選定した流体区分で利用可能な各封止材の推奨使用範囲線が記載されているため、ユーザは、想定している使用条件が、封止材の推奨使用範囲のどの位置にあるのかを確認できる。その結果、本発明によれば、使用環境や使用目的に応じた封止材の選定を容易に行うことができる。【００１０】
また、前記情報提供部は、前記選定条件に対応する封止材を検索すると、前記グラフ情報データベースを用いて、前記２次元座標上に該検索した封止材の推奨使用範囲線が記載され、且つ前記受け付けた第１、第２使用条件の値がプロットされた選定封止材グラフ情報を生成し、前記ユーザ端末に前記品番情報と共に前記選定封止材グラフ情報を送信することが望ましい。【００１１】
この構成によれば、ユーザ端末に、２次元座標上に検索された封止材の推奨使用範囲線が記載され且つユーザが入力した第１、第２使用条件の値がプロットされた選定封止材グラフ情報が提供される。したがって、ユーザ端末のユーザは、自身が入力した使用条件（第１、第２使用条件）が、検索された封止材の推奨使用範囲のどの位置にあるのかを視覚により簡単に把握できる。そのため、検索された封止材が、使用目的や使用環境に対して、適切であるか否かの確認ができる。【００１２】
また、前記情報提供部は、前記受付けた第１、２使用条件の値よりも大きい値の上位条件に対応する封止材と、前記受付けた第１、２使用条件の値よりも小さい値の下位条件に対応する封止材とを選定し、前記ユーザ端末に前記選定条件に対応する封止材の品番情報と共に前記上位条件及び下位条件の封止材の品番情報を送信することが望ましい。【００１３】
上記構成によれば、ユーザ端末に対して、ユーザが入力した第１、第２使用条件の範囲の封止材の提示と共に、それよりも上位・下位条件に対応する封止材を提示することができる。
このように、上位・下位条件に対応する封止材を提示することにより、封止材の使用目的や使用環境に対応した機種選定が可能になる。例えば、使用条件が大きく振れるような環境下で封止材を使用する場合には、安定性を考慮して上位条件に対応する封止材の選定を検討することができる。また、例えば、寿命が短くても良い実験用や頻繁なメンテナンス条件がある場合には、スペックを落とした下位の封止材の選定を検討することができる。【００１４】
また、前記封止材データベースには、前記品番情報に対応付けて、その品番情報により特定される封止材の詳細情報が項目毎に格納されており、前記情報提供部は、前記封止材の品番情報を送信したユーザ端末から該品番情報により特定される封止材の詳細情報の提供要求を受け付けると、前記封止材データベースを用いて前記品番情報により特定される封止材の詳細情報が項目毎に記載され、且つ所定形式のドキュメントデータの送信要求を受付け可能に形成された詳細情報ページを生成し、該ユーザ端末に該詳細情報ページを送信し、前記ユーザ端末から前記ドキュメントデータの送信要求を受け付けると、前記詳細情報ページの内容を前記ドキュメントデータに変換し、該ユーザ端末に該ドキュメントデータを送信することが望ましい。【００１５】
この構成によれば、ユーザ端末のユーザは、ユーザ端末の表示部に表示されている封止材の詳細ページの内容を、簡単な操作により、ドキュメントデータ（例えば、ＰＤＦデータ）を変換して入手することができる。
【発明の効果】
【００１６】
本発明によれば、使用条件や使用目的に適した封止材を簡単に選定できる推奨封止材選定システムを提供することができる。
【図面の簡単な説明】
【００１７】
【図１】本実施形態の推奨封止材選定システムの機能ブロック図である。
【図２】本実施形態のガスケットデータベースを示した模式図である。
【図３】本実施形態のバルブステム用パッキンデータベースを示した模式図である。
【図４】本実施形態の回転ポンプ軸用パッキンデータベースを示した模式図である。
【図５】本実施形態のグラフ情報データベースを示した模式図である。
【図６】本実施形態の推奨封止材選定システムが行う封止材情報提供処理の手順を示したフローチャートである。
【図７】本実施形態の封止材情報提供処理のなかのガスケット選定処理の手順を示したフローチャートである。
【図８】本実施形態の封止材情報提供処理のなかのバルブステム用パッキン選定処理の手順を示したフローチャートである。
【図９】本実施形態の封止材情報提供処理のなかの回転ポンプ軸用パッキン選定処理の手順を示したフローチャートである。
【図１０】本実施形態の推奨封止材選定システムが提供する封止材種別選定ページを示した模式図である。
【図１１】本実施形態の推奨封止材選定システムが提供する流体区分選定ページを示した模式図である。
【図１２】本実施形態の推奨封止材選定システムが提供する使用条件入力ページを示した模式図である。
【図１３】本実施形態の推奨封止材選定システムが提供する使用条件入力ページを示した模式図である。
【図１４】本実施形態の推奨封止材選定システムが提供する使用条件入力ページに使用条件が入力された状態を示した模式図である。
【図１５】本実施形態の推奨封止材選定システムが提供する推奨ガスケット提示ページを示した模式図である。
【図１６】本実施形態の推奨封止材選定システムが提供する推奨ガスケット詳細情報ページを示した模式図である。
【図１７】本実施形態の推奨封止材選定システムが提供する推奨ガスケット詳細情報ページを示した模式図である。
【図１８】本実施形態の推奨封止材選定システムが提供する推奨ガスケット詳細情報ページを示した模式図である。
【発明を実施するための形態】
【００１８】
以下、本発明の実施形態について図面を用いて説明する。
先ず、本実施形態の推奨封止材選定システムの構成について図１〜図５を用いて説明する。
【００１９】
図1に示すように、本実施形態の推奨封止材選定システムは、ネットワークＮＷ（インターネット等のネットワーク）を介してユーザ端末３に「封止材を選定するための推奨封止材選定Ｗｅｂサイト」を提供するサーバ装置１を備えている。
【００２０】
また、ユーザ端末３は、Ｗｅｂブラウザ機能を有する制御部３０と、ネットワークＮＷを介してサーバ装置１との間で各種情報の授受を行う通信処理部３１と、キーボードや操作ボタン等で構成される入力部３２と、液晶ディスプレイ等で構成される表示部３３とを備えた情報処理装置（パソコン、ＰＤＡ、スマートフォン等の情報処理装置）により構成されている。
【００２１】
そして、ユーザ端末３は、ネットワークＮＷを介してサーバ装置１にアクセスし、サーバ装置１から送信される推奨封止材選定Ｗｅｂサイトを構成するＷｅｂページ（図１０〜１８参照）を受信し、表示部３３にＷｅｂページを表示する。また、ユーザ端末３は、入力部３２を介して、Ｗｅｂページ上で、封止材の種類や、流体区分、使用条件の値（温度、圧力等）等の情報の入力を受け付け、サーバ装置１に受け付けた情報を送信するようになっている。なお、本実施形態のユーザ端末３は、周知技術の情報処理装置が用いられているため、詳細な説明を省略する。
【００２２】
また、サーバ装置１は、装置全体の動作を制御する制御部１０と、ユーザ端末３に推奨封止材選定Ｗｅｂサイトを提供する封止材情報提供部１１と、封止材データベース１４及びグラフ情報データベース１８が格納された記憶部１３とを備えている。
【００２３】
尚、サーバ装置１のハードウェア構成は特に限定されるものではないが、例えば、中央処理装置（ＣＰＵ）、主記憶装置、補助記憶装置、入出力Ｉ/Ｆ及び通信Ｉ/Ｆを備えるコンピュータ（１台或いは複数台のコンピュータ）により構成される。
また、上記補助記憶装置には、各部（制御部１０、封止材情報提供部１１）の機能を実現するためのプログラムが格納されている。また、前記補助記憶装置の所定領域には、封止材データベース１４及びグラフ情報データベース１８が格納した記憶部が形成されている。
そして、各部（制御部１０、封止材情報提供部１１）の機能は、中央処理装置（ＣＰＵ）が補助記憶装置に格納された前記プログラムを主記憶装置にロードして実行することにより実現される。
【００２４】
次に、サーバ装置１の各構成部を順に説明する。
制御部１０は、サーバ装置１の動作を制御したり、封止材データベース１４やグラフ情報データベース１８へのデータの登録や更新作業を受け付けたりする機能を担っている。
【００２５】
また、封止材情報提供部（以下、単に「情報提供部」）１１は、ユーザ端末３から各種条件を受け付け、受け付けた条件を用いて封止材データベース１４を検索し、ユーザ端末３に、検索された封止材に関する情報を提供する封止材検索部１１ａと、ユーザ端末３に提供するＷｅｂページをドキュメントデータに変換するドキュメント情報生成部１１ｂとを有している。
【００２６】
具体的には、封止材検索部１１ａは、ユーザ端末３に対して、使用する流体区分を選択する流体区分選択ページ１０１（図１１参照）を送信し、ユーザ端末３が流体区分選択ページ１０１上で流体区分を選択すると、その選択された流体区分を受け付ける。
また、封止材検索部１１ａは、流体区分を受け付けると、後述するグラフ情報データベース１８を用いて、受け付けた流体区分に対応するグラフ情報（第１使用条件を横軸にとり第２使用条件を縦軸にとった２次元座標上にその流体区分で利用可能な各封止材の推奨使用範囲線を記載したグラフ情報）を示した使用条件入力ページ１０２（図１２参照）を生成し、ユーザ端末３に送信する。これにより、ユーザ端末３の表示部３３に、使用条件入力ページ１０２が表示される。
【００２７】
また、封止材検索部１１ａは、ユーザ端末３が条件入力ページ１０２上で第１使用条件及び第２使用条件を入力すると、その第１、第２使用条件を受付け、その受け付けた第１、第２使用条件と、選択された流体区分とを選定条件にして封止材データベース１４を検索し、選定条件に対応する封止材が検索されると、ユーザ端末３に検索された封止材の品番情報を送信する。
【００２８】
また、封止材検索部１１ａは、ユーザ端末３からの要求に応じて、ユーザ端末３に検索した封止材の仕様等が提示された封止材詳細情報ページ１０４（図１６）を送信する。これにより、ユーザ端末３の表示部３３に、封止材詳細情報ページ１０４が表示される。
【００２９】
また、ドキュメント情報生成部１１ｂは、ユーザ端末３から封止材詳細情報ページ１０４に表示している情報のドキュメントデータの送信要求を受け付けると、封止材詳細情報ページ１０４をドキュメントデータ（例えば、ＰＤＦ形式のデータ）に変換する。変換したドキュメントデータは、封止材検索部１１ａによりユーザ端末３に送信される。
【００３０】
また、封止材データベース１４は、ガスケットのデータが登録されるガスケットデータベース１５と、バルブステム用パッキンのデータが登録されるバルブステム用パッキンデータベース１６と、回転ポンプ軸用パッキンのデータが登録される回転ポンプ軸用パッキンデータベース１７とを有している。
【００３１】
上記のガスケットデータベース１５は、図２に示すように、ガスケットを識別する品番情報毎に、当該品番情報のガスケットの利用が可能な流体区分と、そのガスケットの使用可能な温度範囲（℃）と、そのガスケットの使用可能な圧力範囲（ＭＰａ）と、商品情報とを対応付けて格納するデータベースである。
具体的には、ガスケットデータベース１５は、ガスケットの品番情報を登録するフィールド１５ａと、ガスケットの使用可能な流体区分を登録するフィールド１５ｂと、ガスケットの使用可能な使用温度を登録するフィールド１５ｃと、ガスケットの使用可能な使用圧力を登録するフィールド１５ｄと、ガスケットの外観を撮像した商品画像を登録するフィールド１５ｅと、ガスケットの特徴などを説明した商品説明情報を登録するフィールド１５ｆと、ガスケットの仕様情報を登録するフィールド１５ｇとを有するレコードで構成されている（複数のレコードにより構成されている）。
【００３２】
なお、品番情報とは英数字などで構成される一意の値である。
また、フィールド１５ｂには、「水、熱水、水蒸気」、「原油、アルコール・・・」、「一般溶剤、弱酸、弱アルカリ」、「強酸、強アルカリ」「空気、窒素ガス・・・」、「排ガス」、「可燃性ガス」、「毒性ガス」、「酸素」、「極低温流体」等が流体区分を示す情報として登録される。
また、フィールド１５ｇには、封止材（ガスケット）の仕様情報が項目毎に登録されている。
【００３３】
また、図３に示すように、バルブステム用パッキンデータベース１６は、パッキンを識別する品番情報毎に、その品番情報のパッキンを使用する機器と、当該パッキンの利用が可能な流体区分と、当該パッキンの使用可能な温度範囲（℃）と、当該パッキンの使用可能な圧力範囲（ＭＰａ）と、ＪＩＳ（日本工業規格）レーティングと、ＡＮＳＩ（米国国家規格協会）レーティングと、商品情報とを対応付けて格納するデータベースである。
具体的には、パッキンデータベース１６は、パッキンの品番情報を登録するフィールド１６ａと、パッキンを使用する機器を登録するフィールド１６ｂと、パッキンの使用可能な流体区分を登録するフィールド１６ｃと、パッキンの使用可能な使用温度を登録するフィールド１６ｄと、パッキンの使用可能な使用圧力を登録するフィールド１６ｅと、ＪＩＳレーティングを登録するフィールド１６ｆと、ＡＮＳＩレーティングを登録するフィールド１６ｇと、パッキンを撮像した商品画像を登録するフィールド１６ｈと、パッキンの特徴などを説明した商品説明情報を登録するフィールド１６ｉと、パッキンの仕様情報を登録するフィールド１６ｊとを有するレコードで構成されている（複数のレコードにより構成されている）。
なお、フィールド１６ｂに登録される機器とは、「手動弁」、「自動弁」などの機器を示す情報をいう。
【００３４】
また、図４に示すように、回転ポンプ軸用パッキンデータベース１７は、パッキンを識別する品番情報毎に、当該パッキンの利用が可能な流体区分と、当該パッキンの使用可能な温度範囲（℃）と、当該パッキンの使用可能な圧力範囲（ＭＰａ）と、当該パッキンの使用可能な周速（ｍ／ｓ）と、ＰＶ値（ＭＰａ・ｍ／Ｓ）と、商品情報とを対応付けて格納したデータベースである。
具体的には、パッキンデータベース１７は、パッキンの品番情報を登録するフィールド１７ａと、パッキンの使用可能な流体区分を登録するフィールド１７ｂと、パッキンの使用可能な使用温度を登録するフィールド１７ｃと、パッキンの使用可能な使用圧力を登録するフィールド１７ｄと、パッキンの使用可能な周速を登録するフィールド１７ｅと、ＰＶ値を登録するフィールド１７ｆと、パッキンを撮像した商品画像を登録するフィールド１７ｇと、パッキンの特徴などを説明した商品説明情報を登録するフィールド１７ｈと、パッキンの仕様情報を登録するフィールド１７ｉとを有するレコードで構成されている（複数のレコードにより構成されている）。
【００３５】
また、図５に示すように、グラフ情報データベース１８は、ガスケット・グラフ情報データベース１８ａと、バルブステム用パッキン・グラフ情報データベース１８ｂと、回転ポンプ軸用パッキン・グラフ情報データベース１８ｃとにより構成されている。
【００３６】
ここで、ガスケット・グラフ情報データベース１８ａは、流体区分毎に、第１使用条件（温度）を横軸にとり第２使用条件（圧力）を縦軸にとった２次元座標上にその流体区分で利用可能な各封止材の推奨使用範囲線を記載したグラフ情報を対応付けて格納するデータベースである。
具体的には、ガスケット・グラフ情報データベース１８ａは、流体区分を登録するフィールド１８ａ１と、グラフ情報を登録するフィールド１８ａ２とを有するレコードで構成されている（複数のレコードにより構成されている）。
図示する例では、フィールド１８ａ１に「水、熱水、水蒸気」が登録され、フィールド１８ａ２には、温度（第１使用条件）を横軸にとり圧力（第２使用条件）を縦軸にとった２次元グラフ上に、「水、熱水、水蒸気」で利用可能なガスケットの推奨使用範囲線を記載したグラフ情報が登録されている。
【００３７】
バルブステム用パッキン・グラフ情報データベース１８ｂは、流体区分毎に、「機器（手動弁、自動弁）」と、「第１使用条件（温度）を横軸にとり第２使用条件（圧力）を縦軸にとった２次元座標上にその流体区分及び機器で利用可能な各封止材の推奨使用範囲線を記載したグラフ情報」とを対応付けて格納するデータベースである。
具体的には、バルブステム用パッキン・グラフ情報データベース１８ｂは、流体区分を登録するフィールド１８ｂ１と、機器を登録するフィールド１８ｂ２と、グラフ情報を登録するフィールド１８ｂ３とを有するレコードで構成されている（複数のレコードにより構成されている）。
図示する例では、フィールド１８ｂ１に「水、熱水、水蒸気」が登録され、フィールド１８ｂ２に「手動弁」が登録され、フィールド１８ｂ３に、温度（第１使用条件）を横軸にとり圧力（第２使用条件）を縦軸にとった２次元グラフ上に、「水、熱水、水蒸気」及び「手動弁」で利用可能なパッキンの推奨使用範囲線を記載したグラフ情報が登録されている。
【００３８】
また、回転ポンプ軸用パッキン・グラフ情報データベース１８ｃは、流体区分毎に、「流体温度（℃）」と、「第１使用条件（圧力）を横軸にとり第２使用条件（周速）を縦軸にとった２次元座標上にその流体区分及び流体温度で利用可能な各封止材の推奨使用範囲線を記載したグラフ情報」とを対応付けて格納するデータベースである。
具体的には、回転ポンプ軸用パッキン・グラフ情報データベース１８ｃは、流体区分を登録するフィールド１８ｃ１と、流体温度を登録するフィールド１８ｃ２と、グラフ情報を登録するフィールド１８ｃ３とを有するレコードで構成されている（複数のレコードにより構成されている）。
図示する例では、フィールド１８ｃ１に「水、熱水、水蒸気」が登録され、フィールド１８ｃ２に「○×℃」が登録され、フィールド１８ｃ３に、圧力（第１使用条件）を横軸にとり周速（第２使用条件）を縦軸にとった２次元グラフ上に、「水、熱水、水蒸気」及び「流体温度（○×℃）」で利用可能なパッキンの推奨使用範囲線を記載したグラフ情報が登録されている。
【００３９】
次に、本実施形態の推奨封止材選定システムが行う封止材情報提供処理について、図６、７、１０〜１７を用いて説明する。また、以下の説明では選定対象の封止材がガスケットである場合を例にする。
【００４０】
なお、図６は、本実施形態の推奨封止材選定システムが行う封止材情報提供処理の手順を示したフローチャートである。また、図７は、本実施形態の封止材情報提供処理のなかのガスケット選定処理の手順を示したフローチャートである。また、図１０は、本実施形態の推奨封止材選定システムが提供する封止材種別選定ページを示した模式図であり、図１１は、本実施形態の推奨封止材選定システムが提供する流体区分選定ページを示した模式図である。また、図１２、１３は、本実施形態の推奨封止材選定システムが提供する使用条件入力ページを示した模式図である。また、図１４は、本実施形態の推奨封止材選定システムが提供する使用条件入力ページに使用条件が入力された状態を示した模式図である。また、図１５は、本実施形態の推奨封止材選定システムが提供する推奨ガスケット提示ページを示した模式図である。また、図１６、１７、１８は、本実施形態の推奨封止材選定システムが提供する推奨ガスケット詳細情報ページを示した模式図である。
【００４１】
具体的には、図６に示すように、情報提供部１１の封止材検索部１１ａは、ユーザ端末３からのアクセス要求に応じて、ユーザ端末３に、推奨封止材選定ＷｅｂサイトのトップＷｅｂページ（封止材種別選択ページ）１００（図１０）を送信し、ユーザ端末３の表示部３３に封止材種別選択ページ１００を表示させる（Ｓ１）。
なお、封止材種別選択ページ１００には、「推奨ガスケット検索ボタン」、「推奨パッキン（バルブステム用）検索ボタン」及び「推奨パッキン（回転ポンプ軸用）検索ボタン」が設けられており、選定対象の封止材として、「ガスケット」、「バルブステム用パッキン」及び「回転ポンプ軸用パッキン」のいずれかの封止材が選択できるようになっている。
【００４２】
次に、封止材検索部１１ａは、ユーザ端末３が封止材種別選択ページ１００上で封止材の種別を選択すると、選択された封止材種別を受け付ける（Ｓ２）。具体的には、ユーザ端末３が封止材種別選択ページ１００上で封止材の種別を選択すると、ユーザ端末３から封止材検索部１１ａに、選択した「封止材の種別を示すデータ」が送信され、封止材検索部１１ａは、ユーザ端末３から送信された「封止材の種別を示すデータ」を受信する。
なお、ここでは封止材種別として「ガスケット」を受け付けた場合を例にしている。
【００４３】
次に、封止材検索部１１ａは、受け付けた封止材（本例では、ガスケット）について、ユーザ端末３から各種の選定条件を受け付けて、選定条件に対応する封止材を検索し（Ｓ３）、ユーザ端末３に検索された封止材の情報を送信する（Ｓ４）。
なお、説明の便宜上、Ｓ３、Ｓ４の処理の詳細は、図７のＳ１１〜Ｓ２２に示している。以下、Ｓ３、Ｓ４の処理について図７を参照しながら説明する。
【００４４】
具体的には、封止材検索部１１ａは、上記のＳ２により、ガスケットの選択を受け付けると、ユーザ端末３に、図１１に示す、流体区分を選択する流体区分選択ページ１０１を送信し、ユーザ端末３の表示部３３に流体区分選択ページ１０１を表示させる（Ｓ１１）。
【００４５】
この流体区分選択ページ１０１には、「水、熱水、水蒸気」選択ボタン、「原油、アルコール・・・」選択ボタン、「一般溶剤、弱酸、弱アルカリ」選択ボタン、「強酸、強アルカリ」選択ボタン、「空気、窒素ガス・・・」選択ボタン、「排ガス」選択ボタン、「可燃性ガス」選択ボタン、「毒性ガス」選択ボタン、「酸素」選択ボタン、「極低温流体」選択ボタンが設けられている。そして、ユーザ端末３は、流体区分選択ページ１０１上から、流体区分として、「水、熱水、水蒸気」、「原油、アルコール・・・」、「一般溶剤、弱酸、弱アルカリ」、「強酸、強アルカリ」選択ボタン、「空気、窒素ガス・・・」、「排ガス」、「可燃性ガス」、「毒性ガス」、「酸素」及び「極低温流体」のいずれかの流体区分が選択できるようになっている。
【００４６】
次に、封止材検索部１１ａは、ユーザ端末３が流体区分選択ページ１０１上で選択する流体区分を受付ける（Ｓ１２）。具体的には、ユーザ端末３が流体区分選択ページ１０１上で流体区分を選択すると、ユーザ端末３から封止材検索部１１ａに、選択した「流体区分を示すデータ」が送信され、封止材検索部１１ａは、ユーザ端末３から送信された「流体区分を示すデータ」を受信する。
【００４７】
次に、封止材検索部１１ａは、受付けた流体区分及びグラフ情報１８を用いて、選択された流体区分に対応するグラフ情報が提示され且つ２次元グラフの座標上から第１使用条件及び第２使用条件の入力を受け付ける「温度−圧力入力グラフ」が提示された使用条件入力ページ（図１２）を生成し（Ｓ１３）、ユーザ端末３に使用条件入力ページ１０２を送信し、表示部３３に使用条件入力ページ１０２を表示させ（Ｓ１４）、Ｓ１５の処理に進む。
【００４８】
ここで、Ｓ１３、１４の処理について、Ｓ１２で流体区分として「排ガス」を受付けた場合を例に挙げて説明する。
この場合、封止材検索部１１ａは、ガスケット・グラフ情報データベース１８ａのなかから、フィールド１８ａ１に「排ガス」が登録されたレコードを抽出する。また、封止材検索部１１ａは、抽出したレコードから「温度−圧力グラフ」を取得する。この取得した「温度−圧力グラフ」は、温度を横軸（ｘ軸）にとり圧力を縦軸（ｙ軸）にとった２次元座標上に、「排ガス」に利用可能な各封止材の推奨使用範囲線Ｒ１、２、３、４、５が記載されている。
そして、封止材検索部１１ａは、Ｓ１２で受け付けた流体区分が提示された領域１０２ａと、２次元座標上から温度及び圧力の入力を受け付ける「温度−圧力入力グラフ」が提示された領域１０２ｂとが形成された使用条件入力ページ１０２（図１２）を生成し、ユーザ端末３に送信する。
【００４９】
なお、図１２に示す例では、領域１０２ｂに示した「温度−圧力入力グラフ」の２次元座標上の所望位置にカーソルＣを合わせて、クリックすることで、使用条件として「温度（第１使用条件）」及び「圧力（第２使用条件）」が入力できるようになっている。
また、領域１０２ｂには、温度入力欄１０２ｂ１及び圧力入力欄１０２ｂ２が設けられており、ユーザ端末３のユーザが、温度入力欄１０２ｂ１及び圧力入力欄１０２ｂ２に直接「温度、圧力」を入力することもできるようになっている。
【００５０】
なお、Ｓ１２において、封止材検索部１１ａが流体区分として「水、熱水、水蒸気」を受付けたとすると、封止材検索部１１は、Ｓ１３、１４において、温度を横軸（ｘ軸）にとり圧力を縦軸（ｙ軸）にとった２次元グラフ上に、「水、熱水、水蒸気」に利用可能な各封止材の推奨使用範囲線が記載されている使用条件入力ページ１０２（図１３参照）を生成し、ユーザ端末３に送信する。
【００５１】
次に、Ｓ１５の処理を説明する。
Ｓ１５では、封止材検索部１１ａは、ユーザ端末３からの使用条件（温度、圧力）の入力を受け付ける。
具体的には、ユーザ端末３が使用条件入力ページ１０２上の領域１０２ｂに示した「温度−圧力入力グラフ」の座標上の所望位置にカーソルＣを合わせてクリック操作をすると（或いは、温度入力欄１０２ｂ１及び圧力入力欄１０２ｂ２に数値を直接入力すると）、使用条件入力ページ１０２の温度入力欄１０２ｂ１及び圧力入力欄１０２ｂ２に入力された数値が表示されるようになっている（図１４参照）。このとき、「温度−圧力入力グラフ」の座標上に入力された温度及び圧力の値がプロットされる。
そして、ユーザ端末３が使用条件入力ページ１０２上の検索ボタン１０２ｃをクリックすると、入力した「温度及び圧力」の値を示すデータが封止材検索部１１ａに送信される。そして、封止材検索部１１ａは、ユーザ端末３から送信された「温度及び圧力」の値を示すデータを受信する。
【００５２】
この構成によれば、ユーザ端末３のユーザは、使用条件（温度、圧力）の入力範囲を視覚的に把握し、使用条件入力ページ１０２の２次元グラフ（温度−圧力入力グラフ）の座標上から温度及び圧力を入力できるため、従来技術のシステムと比べて封止材の選定作業が容易に行える。
また、使用条件入力ページ１０２では、２次元グラフ上に、その流体区分で利用可能な各ガスケットの推奨使用範囲線を記載されているため、ユーザは、想定している使用条件が、ガスケットの推奨使用範囲のどの位置にあるのかを確認できる。
【００５３】
次に、封止材検索部１１ａは、ユーザ端末３から送信された「温度及び圧力」を示すデータを受信すると、使用条件の必須項目が入力されているか否かを判定する（Ｓ１６）。ここでは、「温度及び圧力」の両方が入力されていない場合に、必須項目が入力されていないと判定される。
そして、封止材検索部１１ａは、Ｓ１６において、必須項目が入力されていないと判定した場合、ユーザ端末３に「エラーメッセージ」を送信し表示させ（Ｓ１８）、Ｓ１１の処理に戻る。また、封止材検索部１１ａは、使用条件の必須項目が入力されている判定した場合、Ｓ１７の処理に進む。
なお、使用条件の必須項目が入力されていないと判定される場合とは、Ｓ１５において、ユーザが、２次元グラフの座標上をクリックせずに且つ温度入力欄１０２ｂ１及び圧力入力欄１０２ｂ２のいずれかに（或いは両方に）数値を入力しないで検索ボタン１０２ｃをクリックした場合である。
【００５４】
Ｓ１７では、封止材検索部１１ａは、Ｓ１５で受付けた「温度及び圧力」と、Ｓ１２で受け付けた流体区分とを選定条件にしてガスケットデータベース１５を検索し、選定条件を満たす（選定条件に対応する）ガスケットが検索されるとＳ２０の処理に進む。
また、封止材検索部１１ａは、選定条件を満たすガスケットが検索されなかった場合、ユーザ端末３に、「検索の結果、該当するガスケットが無い旨を示す」検索結果ページを送信し（Ｓ２１）、Ｓ１１の処理に戻る。
【００５５】
なお、Ｓ１７では、上記選定条件での検索に加えて、前記受付けた使用条件（温度、圧力）よりも大きい値の上位条件に対応するガスケットと、使用条件（温度、圧力）よりも小さい値の下位条件に対応するガスケットの検索も行うようになっている。
【００５６】
次にＳ２０の処理を説明する。
Ｓ２０では、封止材検索部１１ａは、上記の選定条件と、ガスケットデータベース１５及びグラフ情報データベース１８ａとを用いて、検索された封止材に関する情報が記載されている推奨封止材提示ページ１０３（図１５参照）を生成し、ユーザ端末３に送信する。これにより、ユーザ端末３の表示部３３に、検索された封止材に関する情報が記載されている推奨封止材提示ページ１０３が表示され、図６に示すＳ５以降の処理に移行する。
【００５７】
なお、図１５に示すように、推奨封止材提示ページ１０３は、Ｓ１２、１５で受付けた選定条件（「流体区分」、「温度」及び「圧力」）を提示した領域１０３ａと、上記の選定条件で検索されたガスケットの品番情報を提示した領域１０３ｃとが設けられている。
また、領域１０３ｃには、選定条件を満たすガスケットの品番情報が推奨ガスケットとして提示されていることに加えて、受け付けた使用条件（温度、圧力）よりも大きい値の上位条件（上位区分）に対応するガスケットの品番情報と、使用条件（温度、圧力）よりも小さい値の下位条件（下位区分）に対応するガスケットの品番情報とが表示されるようになっている。
【００５８】
このように、３段階の区分（選定条件を満たす区分、上位区分、下位区分）のガスケットを提示することにより、ガスケットの使用目的や使用環境に対応した実用的な機種選定が可能になる。例えば、使用条件が大きく振れるような環境下でガスケットを使用する場合には、安定性を考慮して上位区分のガスケットの選定を検討できる。また、例えば、寿命が短くても良い実験用や頻繁なメンテナンス条件がある場合には、スペックを落とした下位区分のガスケットの選定を検討できる。
【００５９】
また、推奨封止材提示ページ１０３には、温度を横軸（ｘ軸）にとり圧力を縦軸（ｙ軸）にとった２次元座標上に、検索されたガスケットの推奨使用範囲線が記載され且つユーザが入力した使用条件（温度、圧力）の値がプロットされた選定封止材グラフ情報が提示される領域１０３ｂが設けられている。
この構成によれば、ユーザ端末３のユーザは、自身が入力した使用条件（温度、圧力）が、検索されたガスケットの推奨使用範囲のどの位置にあるのかを視覚により確認でき、検索されたガスケットが、使用目的や使用環境に対して、適切であるか否かの確認ができる。
【００６０】
図６に戻り、Ｓ５以降の処理を説明する。
封止材検索部１１ａは、ユーザ端末３からの品番情報の選択を受け付けると（Ｓ５）、ユーザ端末３に選択された品番情報のガスケットの仕様等が提示された封止材詳細情報ページ１０４を提供する（Ｓ６）。
【００６１】
具体的には、ユーザ端末３が推奨封止材提示ページ１０３上の領域１０３ｃに提示されたガスケットの品番情報を選択すると、ユーザ端末３から封止材検索部１１ａに、選択した「ガスケットの品番情報」が送信され、封止材検索部１１ａは、ユーザ端末３から送信された「ガスケットの品番情報」を受信する（受け付ける）。また、封止材検索１１ａは、ガスケットの品番情報を受け付けると、ガスケットデータベース１５を用いて、受け付けた品番情報により特定されるガスケットの詳細情報が記載された封止材詳細情報ページ１０４（図１６）を生成し、ユーザ端末３に封止材詳細情報ページ１０４を送信する。ユーザ端末３の表示部３３には、封止材詳細情報ページ１０４が表示される。
【００６２】
封止材詳細情報ページ１０４には、ガスケットの品番、製品を撮像した画像、製品の特徴情報が記載されていると共に、製品の仕様情報を項目毎に選択して表示する選択ボタン１０４ａｎ（ｎは１以上の自然数）が設けられている。
この構成により、ユーザ端末３のユーザは、自分に必要な項目の情報だけを表示させることができる。例えば、封止材詳細情報ページ１０４の項目ボタン１０４ａ２の「製作寸法」を選択すると、図１７に示すように「製作寸法」が提示されるようになっている。
具体的には、ユーザ端末３が封止材詳細情報ページ１０４上の項目ボタン１０４ａ２を選択すると、ユーザ端末３から封止材検索部１１ａに、選択した項目ボタン１０４ａ２に対応する「項目情報表示要求（ここでは、「製作寸法」の表示要求）」が送信され、封止材検索部１１ａは、ユーザ端末３から送信された「項目情報表示要求」を受信する。そして、封止材検索部１１ａは、「項目情報表示要求」を受信すると、ガスケットデータベース１５を参照して、受け付けた項目（「項目情報表示要求」により特定される項目）の情報だけが詳細に表示され、それ以外の項目は項目ボタン１０４ａｎだけを表示した封止材詳細情報ページ１０４（図１７）を生成し、ユーザ端末３に封止材詳細情報ページ１０４を送信し、ユーザ端末３の表示部３３に、図１７に示す封止材詳細情報ページ１０４を表示させる。
また、ユーザ端末３のユーザが、上記のように「製作寸法」の情報を表示させた後、さらに、封止材詳細情報ページ１０４の別の項目を選択すると（例えば、項目ボタン１０４ａ１の「使用可能範囲」を選択すると）、封止材検索部１１ａは、図１８に示すように、「製作寸法」の詳細情報を表示された状態のままで、さらに、「使用可能範囲」の詳細情報を表示する封止材詳細情報ページ１０４を表示させるようになっている。
【００６３】
また、封止材詳細情報ページ１０４には「再検索要求ボタン１０４ｂ」と、「ＰＤＦ要求ボタン１０４ｃ」とが設けられている（図１６）。
【００６４】
封止材検索部１１ａは、ユーザ端末３が「再検索要求ボタン１０４ｂ」をクリックすると（Ｓ７）、Ｓ１の処理に戻る。また、封止材検索部１１ａは、「再検索要求ボタン１０４ｂ」をクリックされずに「ＰＤＦ要求ボタン１０４ｃ」がクリックされると（Ｓ８）、ドキュメント情報生成部１１ｂに、ユーザ端末３に表示している封止材詳細情報ページ１０４の内容をＰＤＦデータ（ドキュメントデータ）に変換させる。
具体的には、ユーザ端末３のユーザがＰＤＦ要求ボタン１０４ｃをクリックすると、ユーザ端末３から封止材検索部１１ａに「ＰＤＦ要求情報」が送信される。そして、封止材検索部１１は、ユーザ端末３からの「ＰＤＦ要求情報」を受信すると、ドキュメント情報生成部１１ｂに、ユーザ端末３に表示している封止材詳細情報ページ１０４の内容をＰＤＦデータに変換させる。
そして、封止材検索部１１ａは、ユーザ端末３に、ドキュメント情報生成部１１ｂに生成させた封止材詳細情報ページ１０４の内容を示すＰＤＦデータを送信し、処理を終了する。
【００６５】
この構成によれば、ユーザ端末３のユーザは、表示部３３に表示されている封止材詳細情報ページ１０４の内容を、簡単な操作により、ＰＤＦデータ（ドキュメントデータ）に変換して入手することができる。
また、Ｓ６で「再検索要求ボタン１０４ｂ」をクリックされず、Ｓ８で「ＰＤＦ要求ボタン１０４ｃ」がクリックされない場合、Ｓ６の処理に戻る。
【００６６】
なお、上述した図６、図７の説明では、Ｓ２において選定対象の封止材としてガスケットが選定された場合を説明したが、ガスケット以外の封止材（バルブステム用パッキン、回転ポンプ軸用パッキン）が選定された場合も、ガスケットの場合と略同様の手順により、推奨封止材が選定できるようになっている。
以下、Ｓ２において選定対象の封止材としてバルブステム用パッキンが選定された場合の処理と、回転ポンプ軸用パッキンが選定された場合の処理について説明する。
【００６７】
最初に、Ｓ２においてバルブステム用パッキンが選定された場合のＳ３、Ｓ４の処理の具体的な処理内容について、図８を用いて説明する。
なお、図８は、本実施形態の封止材情報提供処理のなかのバルブステム用パッキン選定処理の手順を示したフローチャートである。
【００６８】
具体的には、封止材検索部１１ａは、Ｓ２において「バルブステム用パッキン」の選択を受け付けると、ユーザ端末３に、「流体区分」及び「機器」を選択する流体区分・機器選択ページ（図示せず）を送信し、ユーザ端末３の表示部３３に流体区分・機器選択ページを表示させる（Ｓ３１）。
そして、封止材検索部１１ａは、ユーザ端末３が流体区分・機器選択ページ上で選択する「流体区分」及び「機器（手動弁、自動弁）」を受付ける（Ｓ３２）。
【００６９】
次に、封止材検索部１１ａは、受付けた「流体区分及び機器」及びバルブステム用パッキン・グラフ情報データベース１８ｂを用いて、選択された「流体区分及び機器」に対応するグラフ情報が提示され且つ座標上から第１使用条件（温度）及び第２使用条件（圧力）の入力を受け付ける「温度−圧力入力グラフ」が提示された使用条件入力ページを生成し（Ｓ３３）、ユーザ端末３に使用条件入力ページを送信し、表示部３３に使用条件入力ページを表示させ（Ｓ３４）、Ｓ３５以降の処理に進む。
なお、Ｓ３５〜Ｓ４１の処理内容は、検索対象のデータベースがバルブステム用パッキンデータベース１６になり、検索の選定条件に「機器」が付加される以外は、図７のＳ１５〜Ｓ２１と略同様である。
【００７０】
次に、Ｓ２において回転ポンプ軸用パッキンが選定された場合のＳ３、Ｓ４の処理の具体的な処理内容について、図９を用いて説明する。
なお、図９は、本実施形態の封止材情報提供処理のなかの回転ポンプ軸用パッキン選定処理の手順を示したフローチャートである。
【００７１】
具体的には、封止材検索部１１ａは、Ｓ２において「回転ポンプ軸用パッキン」の選択を受け付けると、ユーザ端末３に、「流体区分」及び「流体温度」を選択する流体区分・温度選択ページ（図示せず）を送信し、ユーザ端末３の表示部３３に流体区分・温度選択ページを表示させる（Ｓ４１）。
また、封止材検索部１１ａは、ユーザ端末３が流体区分・流体温度選択ページ上で選択する「流体区分」及び「流体温度」を受付ける（Ｓ４２）。
【００７２】
次に、封止材検索部１１ａは、受付けた「流体区分及び流体温度」及び「回転ポンプ軸用パッキン・グラフ情報１８ｃ」を用いて、選択された「流体区分及び流体温度」に対応するグラフ情報が提示され且つ２次元グラフの座標上から第１使用条件（圧力）及び第２使用条件（周速）の入力を受け付ける「圧力−周速入力グラフ」と、ＰＶ値入力欄とが設けられた使用条件入力ページを生成し（Ｓ４３）、ユーザ端末３に使用条件入力ページを送信し、表示部３３に使用条件入力ページを表示させ（Ｓ４４）、Ｓ４５の処理に進む。
【００７３】
Ｓ４５では、封止材検索部１１ａは、ユーザ端末３が入力する「圧力、周速」、「ＰＶ値」を受け付け、Ｓ４６以降の処理に進む。
なお、Ｓ４６〜Ｓ５１の処理内容は、検索対象のデータベースが回転ポンプ軸用パッキンデータベース１７になり、検索の選定条件が「流体区分」、「流体温度」、「圧力、周速」、「ＰＶ値」となっている以外は、図７のＳ１６〜Ｓ２１と略同様である。
【００７４】
以上、説明したように本実施形態では、ユーザ端末３に流体区分を選択させ、そのユーザ端末に対して、第１使用条件を縦軸にとり第２使用条件を横軸にとった２次元座標上に、選択した流体区分で利用可能な各封止材の推奨使用範囲線を記載したグラフ情報が提示された使用条件入力ページ１０２を提示する構成を採用している。また、この使用条件入力ページ１０２は、グラフ情報の２次元座標上から第１、第２使用条件の入力を受け付けるようになっている。
そのため、ユーザ端末３のユーザは、使用条件（「温度＆圧力」や「圧力＆周速度」）を視覚的に把握し、使用条件入力ページの２次元座標上にカーソルを合わせてクリックすることにより、第１、第２使用条件を入力でき、封止材の選定作業が簡素化される。また、第１、第２使用条件を入力する範囲が、２次元座標上に提示されているため、ユーザが入力する使用条件の範囲を確認する手間が軽減される。
【００７５】
また、上記のグラフ情報には、２次元座標上に、その流体区分で利用可能な各封止材の推奨使用範囲線が記載されているため、ユーザは、想定している使用条件が、封止材の推奨使用範囲のどの位置になるのかを確認できる。その結果、本実施形態によれば、使用環境や使用目的に応じた封止材の選定を容易に行うことができる。
【００７６】
また、本実施形態では、ユーザ端末３の表示部３３に表示させた封止材詳細情報ページの内容をＰＤＦデータ（ドキュメントデータ）に変換させるドキュメント情報生成部１１ｂが設けられている。そのため、本実施形態によれば、ユーザ端末３のユーザは、表示部３３に表示されている封止材詳細情報ページ１０４の内容を、簡単な操作により、ＰＤＦデータ（ドキュメントデータ）に変換して入手することができる。
【００７７】
なお、本発明は、上述した実施形態に限定されるものではなく、その要旨の範囲内において種々の変更が可能である。
【００７８】
例えば、上述した実施形態のサーバ装置１の構成は、一例に過ぎない。サーバ装置１の機能がクラウドで提供されるようになっていてもよい。
【００７９】
また、上述した実施形態では、使用条件入力ページの２次元座標上から「温度及び圧力」の入力を受け付ける例（図７、図８）と、「温度及び周速」を受け付ける例（図９）とを示したが、特にこれに限定されるものではない。
例えば、封止材検索部１１ａが、「温度及び周速」の入力を受け付けるグラフではなく、「温度及び摺動速度」を受け付けるグラフや、「温度及びＰＶ値」を受け付けるグラフが提示された使用条件入力ページを提供するように構成されていてもよい。
【００８０】
また、上述した実施形態では、選定対象の封止材として、「ガスケット」、「バルブステム用パッキン」及び「回転ポンプ軸用パッキン」を示したが、あくまでもこれは例示に過ぎず、「ガスケット」、「バルブステム用パッキン」及び「回転ポンプ軸用パッキン」以外の封止材についても本発明は適用される。
【００８１】
また、上述したサーバ装置１の封止材情報提供部１１に、推奨封止材選定Ｗｅｂサイト上において、封止材の見積り（封止材の提供価）情報を提供し、見積もりをした封止材の注文を受け付ける見積・注文処理部（図示せず）が設けられていても良い。このように構成することで、ユーザ端末３のユーザは、封止材の選定から注文までを簡単に行うことができる。
【００８２】
尚、サーバ装置１が提供する推奨封止材選定Ｗｅｂサイト上において見積もり及び注文を受け付ける処理は、例えば、以下のように行うことができる。
具体的には、封止材検索部１１ａが提供する封止材詳細情報ページ１０４に「見積もりボタン」を設けておく。そして、ユーザ端末３が封止材詳細情報ページ１０４上の「見積もりボタン」を選択すると、ユーザ端末３から見積・注文処理部に、封止材詳細情報ページ１０４に提示された封止材を指定した見積もり要求が送られる。見積・注文処理部は、上記の封止材を指定した見積もり要求を受け付けると、指定された封止材のオプション項目が選択可能に提示された封止材価格算出ページを生成し、ユーザ端末３に封止材価格算出ページを送信し、ユーザ端末３の表示部３３に、封止材価格算出ページを表示させる。
【００８３】
また、ユーザ端末３が封止材価格算出ページ上で提示されたオプション項目を選択すると、サーバ装置１の見積・注文処理部に、ユーザ端末３が選択したオプション項目が送信される。見積・注文処理部は、ユーザ端末３から送られてくるオプション項目を受信すると、受信したオプション項目を反映させた封止材の提供価格（見積もり額）を算出し、算出した提供価格（見積もり額）が提示された封止材見積もりページを生成し、ユーザ端末３に封止材価格算出ページを送信する。これにより、ユーザ端末３の表示部３３に、封止材見積もりページを表示される。
【００８４】
また、封止材見積もりページには、注文受け付け領域が設けられている。注文受け付け領域には、注文者情報（氏名（法人であれば、法人名及び担当者名）、連絡先）入力欄と、封止材の納品先（住所）入力欄と、封止材の数量を指定する「数量入力欄」と、支払い方法特定欄と、「注文ボタン」とが設けられている。ユーザ端末３が、封止材見積もりページ上で注文者情報、納品先、数量、支払い方法等の注文情報を入力して注文ボタンを選定すると、見積・注文処理部に入力した注文情報が送信される。
見積・注文処理部は、ユーザ端末３からの注文情報を受信して注文処理を受け付ける。
【符号の説明】
【００８５】
１…サーバ装置
１０…制御部
１１…封止材情報提供部
１１ａ…封止材検索部（封止材情報提供部）
１１ｂ…ドキュメント情報生成部（封止材情報提供部）
１３…記憶部
１４…封止材データベース
１５…ガスケットデータベース（封止材データベース）
１６…バルブステム用パッキンデータベース（封止材データベース）
１７…回転ポンプ軸用パッキンデータベース（封止材データベース）
１８…グラフ情報データベース
１８ａ…ガスケット・グラフ情報データベース（グラフ情報データベース）
１８ｂ…バルブステム用パッキン・グラフ情報データベース（グラフ情報データベース）
１８ｃ…回転ポンプ軸用パッキン・グラフ情報データベース（グラフ情報データベース）
３…ユーザ端末
３０…制御部
３１…通信処理部
３２…入力部
３３…表示部
【図１】
2015156304.tif 000003
【図２】
2015156304.tif 000004
【図３】
2015156304.tif 000005
【図４】
2015156304.tif 000006
【図５】
2015156304.tif 000007
【図６】
2015156304.tif 000008
【図７】
2015156304.tif 000009
【図８】
2015156304.tif 000010
【図９】
2015156304.tif 000011
【図１０】
2015156304.tif 000012
【図１１】
2015156304.tif 000013
【図１２】
2015156304.tif 000014
【図１３】
2015156304.tif 000015
【図１４】
2015156304.tif 000016
【図１５】
2015156304.tif 000017
【図１６】
2015156304.tif 000018
【図１７】
2015156304.tif 000019
【図１８】
2015156304.tif 000020
【国際調査報告】
2015156304.tif 000021
2015156304.tif 000022
2015156304.tif 000023
2015156304.tif 000024